(57)【特許請求の範囲】
【請求項１】
複数台の微粉炭機を有し、微粉炭機により石炭を粉砕して燃料としている石炭焚きボイラであって、微粉炭機のトリップを検出してユニットの発電機出力目標値を下げる負荷ランバック動作機能を有する石炭焚きボイラにおいて、
ミルトリップに至った微粉炭機の運用していた負荷率から供給不可となった燃料量相当の負荷信号を得る手段と、ミルトリップ前の負荷信号と前記燃料量相当の負荷信号との減算により負荷ランバック目標値を設定する目標値設定手段を備えたことを特徴とする微粉炭機の目標負荷設定装置。
【請求項２】
石炭焚きボイラの微粉炭機のトリップを検出してユニットの発電機出力目標値を下げる負荷ランバック動作機能を有し、ミルトリップに至った微粉炭機の運用していた負荷率から供給不可となった燃料量相当の負荷信号を得て、ミルトリップ前の負荷信号と前記燃料量相当の負荷信号との減算により負荷ランバック目標値を設定することを特徴とする微粉炭機の目標負荷設定方法。
【発明の詳細な説明】
【０００１】
【発明の属する技術分野】
本発明は、複数台の微粉炭機（以下、ミルと称する）を有し、ミルにより石炭を粉砕して燃料としている石炭焚きボイラに関し、運転中のミルが停止した場合に、残ったミルによって維持可能な負荷まで降下させる場合の目標負荷設定装置及び方法に関する。
【０００２】
【従来の技術】
ミルのトリップを検出してユニットの発電機出力目標値を下げる負荷ランバック動作機能を有する石炭焚きボイラが広く提案されている。
【０００３】
従来の負荷ランバック回路を図２に示す。
【０００４】
ランバック回路は、ユニットが複数機のミルを稼動させて発電機出力を維持している状態において、ミルがトリップに至った場合に、出力目標値を降下させて電力供給を維持させる機能を構成している。
【０００５】
従来方式では、ミルトリップが発生すると、ミルランバック動作条件が成立し、負荷指令３１により、アナログメモリ３２にてミルトリップ発生前の負荷指令値が保持され、この値から信号発生器３３に予め設定された値を減算器３４にて減算する。そしてこの減算された値が目標値３５として設定される。
【０００６】
この場合の信号発生器３３に設定される値は、ユニット定格負荷を維持するために必要な燃料量を供給する場合のミル運転台数から決定されたミル１台に掛かる燃料供給量相当の負荷の値としている。
【０００７】
固定値が一定であることより、実際の負荷値と目標負荷値との差によって、ミル１台あたりに関して、急激に最大負荷率までの必要以上の変化を課すことに加え、燃料供給遅れによるボイラ状態への大きな外乱を与える運用となっている。また、石炭の性状による補正が行われていないことにより、ミル容量を越える場合もあり、系の安定を阻害するおそれがある。
【０００８】
なお、図２において、符号３６は切替器、３７は変化率制限器、３８はミルランバック指令を示す。
【０００９】
【発明が解決しようとする課題】
上記従来技術においては、負荷ランバック目標値は、個々のミルの負荷率状態に係わりなく、残るミルの稼働台数にて可能な供給最大値まで持ち上げることになるため、給炭設備及びミルの電動機に急激な負荷を与える状況にあり、またボイラ状態を大きく変えることにより、制御系への外乱となり、ユニット安定性の面で問題があった。
【００１０】
本発明の目的は、ミルトリップが発生した時点でのトリップしたミルが供給していた燃料量に見合う負荷を算出して、トリップ発生前の負荷指令値から減算した値を負荷ランバック目標値として設定することで、個々のミルに与える変化量を少なくし、安定した負荷移行を可能とすることにある。
【００１１】
【課題を解決するための手段】
上記目的は、ミルトリップ発生前の供給燃料量に対する個々のミルの負荷率とミルトリップにより、トリップしたミルの負荷率を残るミルにて補ったときの負荷率を比較し、個々のミルに与える変化量を少なくするような負荷目標値を設定することにより達成される。即ち、ミルトリップ発生時の負荷に対する個々のミルの負荷率を表すミルマスタの値とトリップしたミルの台数を乗算して供給不可となる燃料量を算出し、それに見合った負荷値をミルトリップ発生直前の負荷値から減算した値の負荷に設定することで、安定した負荷ランバックの目標値を選定することにより達成される。
【００１２】
【発明の実施の形態】
以下、本発明の実施の形態を図面に基づいて説明する。
【００１３】
図１は本発明の実施の形態に係る負荷ランバック回路の構成図である。
【００１４】
図１に示す負荷ランバック回路は、ボイラマスタ１、負荷指令２、燃料量指令３、給炭量信号４、信号切替器５，６，９，１２、信号制限器７、減算器８，１３、変化率制限器１０、関数発生器１１，１７、加算器１４，１８、乗算器１５，１６、ボイラマスタ１９、給炭量指令２０、ミルランバック指令２１を備えている。
【００１５】
ミルトリップが検出されると、「ミルランバック指令」Ａ（符号２１）が成立する。負荷指令より作成されたボイラマスタ１からの信号は、信号切替器９により指令状態が保持され、ランバック時の負荷がメモリされる。
【００１６】
燃料量指令３と、各ミルからの給炭量信号４が加算器１４にて合計された値とが減算器１３にて比較された信号に、給炭機の自動条件を合計した加算器１８の信号による関数発生器１７からの補正ゲインを乗算器１６にて乗算して、ミル１台あたりの給炭量（燃料供給量）、すなわちミルの負荷率が算出される。
【００１７】
この１台あたりのミルの負荷率も、信号切替器１２にてランバック発生時の値が保持され、このメモリされた負荷率は、関数発生器１１にて燃料量相当の負荷信号に変換される。
【００１８】
信号切替器９にてメモリされたトリップ前の負荷信号と関数発生器１１から供給不可となった燃料量相当の負荷が減算器８にて減算され、目標負荷が設定される。
【００１９】
ユニットの発電機出力とそれに必要な燃料供給量は、石炭の性状に対して補正されたある一定の比例関数にて設定される。
【００２０】
ミルの負荷率は、ミルマスタにて合計必要供給量をミル可動台数で乗算して求められた単位あたりの燃料量により決定される。
【００２１】
従って、ミルマスタの値は負荷に対する個々のミルの負荷率を表しているものであり、ミルトリップ発生時のミルマスタの値とトリップしたミルの台数を乗算して供給不可となる燃料量を算出し、それに見合った負荷値をトリップ発生直前の負荷値から減算した値の負荷に設定することで、安定した負荷ランバックの目標値を選定することが可能となる。
【００２２】
ミルマスタにて算出された個々のミルの負荷率は、石炭の性状の違いに対して燃料量が補正された値となっていることより、ミル容量制限にかかり燃料不安定を引き起こすことはない。
【００２３】
本発明の実施の形態によれば、減算する負荷を選定している関数発生器１１に制限回路や補正回路を構成することで、ユニット特有の条件設定を行うことが可能であり、効果がある。
【００２４】
【発明の効果】
本発明によれば、ミルトリップ時の降下負荷へ燃料制御への外乱が少なく、ランバック動作後の早期ユニット安定化を図ることができる。
【図面の簡単な説明】
【図１】本発明の実施の形態に係る負荷ランバック回路の構成図である。
【図２】従来の負荷ランバック回路の構成図である。
【符号の説明】
１  ボイラマスタ
２  負荷指令
３  燃料量指令
４  給炭量指令
５，６，９，１２  信号切替器
７  信号制限器
８，１３  減算器
１０  変化率制限器
１１，１７  関数発生器
１４，１８  加算器
１５，１６  乗算器
１９  ボイラマスタ
２０  給炭量指令
２１  ミルランバック指令
【図１】
0003820290.tif 000002
【図２】
0003820290.tif 000003